(57)【要約】【課題】部屋の天井又は床に空調空気の給気口が設けられた建物において、家具の配置換えや間取りの変更に好適に対応できるようにすること。【解決手段】建物において一階居室３１の天井は、その一部が複数の天井パネル６１が並設されることにより構成された天井パネル並設部６２となっている。天井パネル並設部６２では、各天井パネル６１が互いに配置換え可能に設けられているとともに、それら各天井パネル６１には一階居室３１に空調空気を吹き出す給気グリル５４が設けられた天井パネル６１Ａが含まれている。また、二階居室３５の床は、その一部が複数の床パネル８１が並設されることにより構成された床パネル並設部８２となっている。床パネル並設部８２では、各床パネル８１が互いに配置換え可能に設けられているとともに、それら各床パネル８１には二階居室３５に空調空気を吹き出す給気グリル５４が設けられた床パネル８１Ａが含まれている。【選択図】図４
2020118428.tif 000002
【特許請求の範囲】
【請求項１】
部屋の天井又は床に、空調装置より供給される空調空気を前記部屋に吹き出す給気口が設けられた建物において、
前記給気口が設けられた前記天井又は前記床は、その少なくとも一部が複数のパネルが並設されることにより構成されたパネル並設部となっており、
前記パネル並設部では、前記各パネルが互いに配置換え可能に設けられているとともに、前記各パネルに前記給気口が設けられた給気パネルが含まれていることを特徴とする建物。
【請求項２】
前記パネル並設部の前記各パネルには、前記給気パネルが複数含まれており、
前記空調装置により生成された空調空気を前記各給気パネルの前記給気口にそれぞれ搬送する複数の空調ダクトを備え、
それら各空調ダクトには、前記空調ダクトを前記給気口に着脱可能に接続する接続部が設けられ、
前記各空調ダクトの前記接続部はそれぞれ、前記各給気パネルの前記給気口のいずれに対しても接続が可能とされていることを特徴とする請求項１に記載の建物。
【請求項３】
前記部屋と前記パネル並設部により仕切られた部屋裏空間へ前記空調装置により生成された空調空気を搬送する空気搬送部材を備え、
前記パネル並設部の前記各パネルには、前記部屋裏空間の熱を伝導して前記部屋に向けて放射する放射パネルが含まれていることを特徴とする請求項１又は２に記載の建物。
【請求項４】
前記空調装置により生成された空調空気を搬送する複数の空調ダクトを備え、
前記各空調ダクトにはそれぞれ、前記空調ダクトを前記給気口に着脱可能に接続する接続部が設けられ、
前記各空調ダクトのうち一部の空調ダクトは前記接続部により前記給気口に接続されることで前記空調空気を前記給気口に搬送するために用いられ、
他の前記空調ダクトは前記接続部により前記給気口に接続されず前記空気搬送部材として用いられることを特徴とする請求項３に記載の建物。
【請求項５】
前記パネル並設部は、前記部屋の前記天井に設けられており、
前記パネル並設部の前記各パネルには、照明器具を取り付けるための照明取付部が設けられた照明パネルが含まれていることを特徴とする請求項１乃至４のいずれか一項に記載の建物。
【請求項６】
前記パネル並設部は、前記部屋の前記天井に設けられており、
前記パネル並設部において前記パネルが並べられたパネル並び方向に延びているとともに、それら並べられた各パネルを挟んだ両側に配置された一対の支持レールを備え、
前記並べられた各パネルは、前記各支持レールによって支持されているとともに、その支持状態において前記支持レールに沿ってスライド移動が可能となっていることを特徴とする請求項１乃至５のいずれか一項に記載の建物。
【発明の詳細な説明】
【技術分野】
【０００１】
本発明は、部屋の天井又は床に、空調装置より供給される空調空気を部屋に吹き出す給気口が設けられた建物に関するものである。
【背景技術】
【０００２】
住宅等の建物では、居室等の部屋を空調設備により空調することが行われている（例えば特許文献１参照）。かかる空調設備としては、空調装置により生成した空調空気を部屋に設けた給気口より吹き出すことで部屋の空調を行うものがある。かかる空調設備では、例えば給気口が部屋の天井や床に設けられる。
【先行技術文献】
【特許文献】
【０００３】
【特許文献１】特開２００９−２１６３３９号公報
【発明の概要】
【発明が解決しようとする課題】
【０００４】
住宅では、暮らしの変化等に伴い、家具の配置換えや間取りの変更が行われる場合がある。例えば、天井に給気口が設けられた部屋において家具の配置換えが行われる場合、給気口の真下にソファが配置されてしまうことが考えられる。その場合、ソファに座ると給気口から吹き出す空調空気が直接当たることになるため、不快感を感じてしまうおそれがある。
【０００５】
また、床に給気口が設けられた部屋において、間取りの変更が行われる場合も考えられる。その場合、給気口を塞がないように間取りの変更を行う必要があるため、間取りの変更に制約が生じるおそれがある。
【０００６】
このように、天井や床に給気口が設けられた従来の建物では、家具の配置換えや間取りの変更が行われる場合に、給気口との関係でその対応が困難になる問題があった。
【０００７】
本発明は、上記事情に鑑みてなされたものであり、部屋の天井又は床に空調空気の給気口が設けられた建物において、家具の配置換えや間取りの変更に好適に対応できるようにすることを主たる目的とするものである。
【課題を解決するための手段】
【０００８】
上記課題を解決すべく、第１の発明の建物は、部屋の天井又は床に、空調装置より供給される空調空気を前記部屋に吹き出す給気口が設けられた建物において、前記給気口が設けられた前記天井又は前記床は、その少なくとも一部が複数のパネルが並設されることにより構成されたパネル並設部となっており、前記パネル並設部では、前記各パネルが互いに配置換え可能に設けられているとともに、前記各パネルに前記給気口が設けられた給気パネルが含まれていることを特徴とする。
【０００９】
本発明によれば、部屋の天井又は床の少なくとも一部が複数のパネルが並設されることにより構成されたパネル並設部となっている。パネル並設部では、各パネルが互いに配置換え可能に設けられており、また、各パネルには給気口が設けられた給気パネルが含まれている。この場合、各パネルの配置換えを行うことで、給気口の位置を変更することができるため、家具の配置換えや間取りの変更が行われる場合には、それに応じて給気口の位置を変更することができる。これにより、部屋の天井又は床に給気口が設けられた建物において、家具の配置換えや間取りの変更に好適に対応することが可能となる。
【００１０】
第２の発明の建物は、第１の発明において、前記パネル並設部の前記各パネルには、前記給気パネルが複数含まれており、前記空調装置により生成された空調空気を前記各給気パネルの前記給気口にそれぞれ搬送する複数の空調ダクトを備え、それら各空調ダクトには、前記空調ダクトを前記給気口に着脱可能に接続する接続部が設けられ、前記各空調ダクトの前記接続部はそれぞれ、前記各給気パネルの前記給気口のいずれに対しても接続が可能とされていることを特徴とする。
【００１１】
本発明によれば、パネル並設部の各パネルに複数の給気パネルが含まれており、それら各給気パネルの給気口にはそれぞれ空調装置により生成された空調空気が空調ダクトを通じて搬送されるようになっている。このような構成にあって、各空調ダクトには、空調ダクトを給気口に着脱可能に接続する接続部が設けられている。この場合、給気パネルの配置換えを行う際には、空調ダクトを給気口から取り外して配置換えを行うことができる。これにより、空調空気をダクト搬送する構成にあって、給気パネルの配置換えを容易に行うことが可能となる。
【００１２】
また、各空調ダクトの接続部はそれぞれ、各給気パネルの給気口のいずれに対しても接続が可能とされている。この場合、各給気パネルの配置換えを行った後、それら各給気パネルの給気口に空調ダクトを接続するに際し、給気口の近くにある空調ダクトを当該給気口に接続するといったことが可能となる。これにより、各給気パネルの配置換え後に行われる、各給気口への空調ダクトの（再）接続作業をし易くすることができる。
【００１３】
第３の発明の建物は、第１又は第２の発明において、前記部屋と前記パネル並設部により仕切られた部屋裏空間へ前記空調装置により生成された空調空気を搬送する空気搬送部材を備え、前記パネル並設部の前記各パネルには、前記部屋裏空間の熱を伝導して前記部屋に向けて放射する放射パネルが含まれていることを特徴とする。
【００１４】
本発明によれば、空調装置により生成された空調空気の一部が部屋とパネル並設部により仕切られた部屋裏空間へ搬送されるため、その空調空気により部屋裏空間の空調（冷暖房）が行われる。また、パネル並設部の各パネルには放射パネルが含まれているため、その放射パネルを介して部屋裏空間の熱が部屋へ向けて放射される。この場合、部屋を給気口から吹き出す空調空気に加え、放射パネルより放射される放射熱によって空調することができるため、空調空気の給気と熱放射とを併用して部屋を効率よく空調することが可能となる。
【００１５】
また、放射パネルを含む各パネルの配置換えが可能とされているため、例えば給気口から吹き出す空調空気が直接当たることは避けたい一方で、局所的に空調を行い領域（例えばソファの設置された領域）がある場合に、その領域に合わせて放射パネルを配置するといったことが可能となる。これにより、家具の配置換えや間取りの変更に対してより好適に対応することが可能となる。
【００１６】
第４の発明の建物は、第３の発明において、前記空調装置により生成された空調空気を搬送する複数の空調ダクトを備え、前記各空調ダクトにはそれぞれ、前記空調ダクトを前記給気口に着脱可能に接続する接続部が設けられ、前記各空調ダクトのうち一部の空調ダクトは前記接続部により前記給気口に接続されることで前記空調空気を前記給気口に搬送するために用いられ、他の前記空調ダクトは前記接続部により前記給気口に接続されず前記空気搬送部材として用いられることを特徴とする。
【００１７】
本発明によれば、空調空気を搬送する空調ダクトが複数設けられ、それら各空調ダクトにそれぞれ空調ダクトを給気口に着脱可能に接続する接続部が設けられている。そして、各空調ダクトのうち一部の空調ダクトについては接続部により給気口に接続され空調空気を給気口に搬送するために用いられ、他の空調ダクトについては接続部により給気口に接続されず空調空気を部屋裏空間に搬送する空気搬送部材として用いられるようになっている。
【００１８】
このような構成では、各空調ダクトをそれぞれ空調空気を給気口に搬送するために用いることができるとともに、空調空気を部屋裏空間に搬送するために用いることができる。したがって、各パネルの配置換えを行った後、（給気パネルの）給気口へ空調ダクトを接続する際に、給気口の近くにある空調ダクトを当該給気口に接続し、給気口から離れた位置にある空調ダクトを給気口に接続せず空気搬送部材として用いるといったことが可能となる。これにより、各パネルの配置換え後に行われる、給気口への空調ダクトの（再）接続作業を行い易くすることができる。
【００１９】
第５の発明の建物は、第１乃至第４のいずれかの発明において、前記パネル並設部は、前記部屋の前記天井に設けられており、前記パネル並設部の前記各パネルには、照明器具を取り付けるための照明取付部が設けられた照明パネルが含まれていることを特徴とする。
【００２０】
本発明によれば、各パネルに照明器具を取り付けるための照明取付部（例えば引っ掛けシーリング等）が設けられた照明パネルが含まれている。この場合、照明パネルを配置換えすることで照明器具の配置位置を変更することが可能となる。これにより、家具の配置換えや間取りの変更に応じて、照明器具の配置位置を変えることができるため、部屋の照明の点からも家具の配置換え等に対して好適に対応することが可能となる。
【００２１】
第６の発明の建物は、第１乃至第５のいずれかの発明において、前記パネル並設部は、前記部屋の前記天井に設けられており、前記パネル並設部において前記パネルが並べられたパネル並び方向に延びているとともに、それら並べられた各パネルを挟んだ両側に配置された一対の支持レールを備え、前記並べられた各パネルは、前記各支持レールによって支持されているとともに、その支持状態において前記支持レールに沿ってスライド移動が可能となっていることを特徴とする。
【００２２】
本発明によれば、部屋の天井に設けられた一対の支持レールにパネルがスライド移動可能に支持されている。この場合、天井側にてパネルの配置換えを行う際には、支持レール上でパネルをスライド移動させながら配置換えを行うことができるため、天井側でのパネルの配置換えをし易くすることができる。
【図面の簡単な説明】
【００２３】
【図１】ユニット式建物の概要を示す斜視図。
【図２】建物ユニットの構成を示す斜視図。
【図３】空調設備が設けられた建物の概要を示す図。
【図４】一階居室と二階居室との間の階間部分の構成を示す縦断面図。
【図５】一階居室の天井に並設された各天井パネルを示す平面図。
【図６】二階居室の床に並設された各床パネルを示す平面図。
【図７】支持レールに沿って天井パネルをスライド移動させた状態を示す斜視図。
【図８】一階居室を示す平面図であり、（ａ）が家具の配置換えが行われる前の状態、（ｂ）が家具の配置換えが行われた後の状態を示している。
【図９】二階居室を示す平面図であり、（ａ）が家具の配置換えが行われる前の状態、（ｂ）が家具の配置換えが行われた後の状態を示している。
【発明を実施するための形態】
【００２４】
以下、本発明を具体化した一実施形態について図面を参照しつつ説明する。本実施形態では、鉄骨ラーメン構造を有する二階建てのユニット式建物において本発明を具体化している。図１はユニット式建物の概要を示す斜視図であり、図２は建物ユニット２０の構成を示す斜視図である。
【００２５】
図１に示すように、住宅等の建物１０は、基礎１１上に設けられた建物本体１２と、その上方に設けられた屋根部１３とを備える。建物本体１２は、下階部としての一階部分１４と、上階部としての二階部分１５とを有する二階建てであり、複数の建物ユニット２０が互いに連結されることにより構成されている。建物ユニット２０は製造工場においてあらかじめ製造され、その後施工現場にトラック等により運搬されるものとなっている。
【００２６】
図２には建物ユニット２０の斜視図を示す。図２に示すように、建物ユニット２０は、その四隅に配設される４本の柱２１と、各柱２１の上端部及び下端部をそれぞれ連結する各４本の天井大梁２２及び床大梁２３とを備えている。この場合、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その溝部を水平方向の内側に向けて設置されている。また、天井大梁２２（詳細には、そのウエブ）には、複数の箇所に梁貫通孔２２ａが設けられている。
【００２７】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００２８】
建物１０には、空調設備５０が設けられている。図３は、その空調設備５０が設けられた建物１０の概要を示す図である。以下、この図３に基づいて建物１０内の構成を説明し、その後空調設備５０の構成について説明する。
【００２９】
図３に示すように、建物１０の一階部分１４には複数の部屋３１〜３３が設けられている。これら各部屋３１〜３３のうち、部屋３１，３２はリビングや寝室等の居室となっており、以下においては一階居室３１，３２という。また、部屋３３は納戸等の非居室となっている。
【００３０】
建物１０の二階部分１５には、一階部分１４と同様、複数の部屋３５〜３７が設けられている。これら各部屋３５〜３７のうち、部屋３５，３７はリビング等の居室となっており、以下においては二階居室３５，３７という。また、部屋３６は空調装置５１が設置された空調機械室３６となっている。
【００３１】
一階部分１４と二階部分１５との間の階間部分には、一階部分１４の天井である一階天井４１と、二階部分１５の床である二階床４２とが設けられている。一階天井４１は、天井面材２７を有して形成され、その一階天井４１により各部屋３１〜３３の天井面が形成されている。二階床４２は、床面材２８を有して形成され、その二階床４２により各部屋３５〜３７の床面が形成されている。
【００３２】
一階天井４１と二階床４２との間の空間は階間空間４３となっている。この階間空間４３では、一階部分１４の建物ユニット２０の天井大梁２２と、二階部分１５の建物ユニット２０の床大梁２３とが上下に対向して配置されている。これにより、階間空間４３は、それら上下に対向する天井大梁２２及び床大梁２３によって、建物ユニット２０ごとに複数の空間に区画されている。以下、これら区画された各空間を階間空間部４３ａ，４３ｂという。
【００３３】
各階間空間部４３ａ，４３ｂのうち、階間空間部４３ａについては一階居室３１及び二階居室３５の間に形成され、階間空間部４３ｂについては一階居室３２及び二階居室３７の間に形成されている。したがって、階間空間部４３ａは、一階天井４１により一階居室３１と仕切られ、二階床４２により二階居室３５と仕切られている。また、階間空間部４３ｂは、一階天井４１により一階居室３２と仕切られ、二階床４２により二階居室３７と仕切られている。また、各階間空間部４３ａ，４３ｂは、天井大梁２２と床大梁２３との間の隙間４５や、天井大梁２２に形成された梁貫通孔２２ａを介して互いに連通されている。
【００３４】
続いて、空調設備５０の構成について説明する。
【００３５】
空調設備５０は、共通の空調装置５１により複数の部屋を空調対象として空調（冷暖房）を行う全館式の空調設備となっている。空調設備５０は、空調空気（冷気又は暖気）を生成する空調装置５１と、その空調装置５１に接続された複数の空調ダクト５２とを備える。空調装置５１は、上述したように、二階部分１５の空調機械室３６に設置されている。空調装置５１は、冷房機能及び暖房機能を有する室内機として構成されている。空調装置５１は、空調機械室３６内の空気を取り込み、その空気を温度調整することで空調空気（冷気又は暖気）を生成する。
【００３６】
各空調ダクト５２は空調装置５１から下方に延びて階間空間４３（詳しくは階間空間部４３ａ）に入り込んでいる。そして、各空調ダクト５２は、その階間空間４３において空調対象となる各部屋へ向けて延びるように配設されている。また、各空調ダクト５２はいずれも可撓性及び伸縮性を有するフレキシブルダクトにより構成されている。なお、図３では、空調ダクト５２がその途中で複数の空調ダクト５２に分岐された構成が示されているが、実際には各空調ダクト５２はいずれも分岐されておらず各空調ダクト５２がそれぞれ空調装置５１に接続されている。但し、空調ダクト５２をその途中で分岐させて複数の空調ダクト５２とする構成としてもよい。
【００３７】
各空調ダクト５２の端部（詳しくは空調装置５１との接続側とは反対側の端部）にはそれぞれ給気チャンバ５３が接続されている。そして、それら各給気チャンバ５３にはそれぞれ給気グリル５４が接続されている。この場合、各空調ダクト５２はそれぞれ、給気チャンバ５３を介して給気グリル５４と接続されている。
【００３８】
各給気グリル５４は、各一階居室３１，３２の天井（一階天井４１）と、各二階居室３５，３７の床（二階床４２）とにそれぞれ設けられている。この場合、空調装置５１により生成された空調空気（冷気又は暖気）は各空調ダクト５２及び各給気チャンバ５３を通じて各給気グリル５４へ供給され、それら各給気グリル５４より各一階居室３１，３２及び各二階居室３５，３７へそれぞれ吹き出される（供給される）。そして、それら吹き出された空調空気により、それら各居室３１，３２，３５、３７の空調（冷暖房）が行われる。
【００３９】
各空調ダクト５２は、上述したように、空調機械室３６から階間空間４３の階間空間部４３ａに入り込んでいる。これら各空調ダクト５２のうち、一階居室３１及び二階居室３５の給気グリル５４に接続された各空調ダクト５２については階間空間部４３ａに配設されている。その一方、一階居室３２及び二階居室３７の給気グリル５４に接続された空調ダクト５２については天井大梁２２に形成された梁貫通孔２２ａを通じて階間空間部４３ａから階間空間部４３ｂへ延びている。なお、階間空間部４３ａに配設された各空調ダクト５２のうち、一部の空調ダクト５２は給気グリル５４に接続されていない未接続ダクト（その詳細は後述）となっている。
【００４０】
続いて、一階居室３１の天井部の構成について図４及び図５に基づいて説明する。図４は、一階居室３１と二階居室３５との間の階間部分の構成を示す縦断面図である。図５は、一階居室３１の天井４１（一階天井４１）に並設された各天井パネル６１を示す平面図である。なお、図５では便宜上、一階居室３１を仕切る仕切壁５６を二点鎖線で示している。
【００４１】
図４及び図５に示すように、一階居室３１の天井４１は、その一部が複数の天井パネル６１が並設されることにより構成された天井パネル並設部６２となっている。この天井パネル並設部６２では、それら各天井パネル６１により一階居室３１の天井面が形成されている。なお、この場合、一階居室３１の天井４１が「部屋の天井」に相当する。また、各天井パネル６１がそれぞれ「パネル」に相当し、天井パネル並設部６２が「パネル並設部」に相当する。
【００４２】
各天井パネル６１はいずれも平面視にて矩形形状をなしており、詳しくは正方形状をなしている。また、各天井パネル６１は、いずれも同じ大きさを有している。したがって、各天井パネル６１はいずれも平面視にて同じ大きさでかつ同じ形状を有している。また、各天井パネル６１は、枡目状に並べて配置されている。
【００４３】
各天井パネル６１は、一階部分１４の建物ユニット２０の天井小梁２５に取り付けられた支持レール７１により支持されている。支持レール７１は、金属材料により形成され、天井小梁２５の長手方向に沿って延びている。支持レール７１は、横断面がＨ字状をなしており、上下方向に延びる縦板部７１ａと、縦板部７１ａの上端部に接続された上板部７１ｂと、縦板部７１ａの下端部に接続された下板部７１ｃとを有している。支持レール７１は、その上板部７１ｂが天井小梁２５の下面にビス等により固定されている。
【００４４】
支持レール７１は、複数の天井小梁２５に取り付けられている。この場合、それら各支持レール７１は、天井小梁２５と同じ配置間隔（ピッチ）で配置されている。隣り合う一対の支持レール７１には、天井パネル６１が架け渡された状態で設けられている。天井パネル６１は、それら各支持レール７１の下板部７１ｃに載置された状態で支持されている。この場合、天井パネル６１は、その上面が階間空間部４３ａに面した状態で設置されている。また、各支持レール７１の間には、その支持レール７１に沿って並ぶ複数の天井パネル６１が架け渡されている。そして、それら複数の天井パネル６１が各支持レール７１により支持されている。
【００４５】
複数の支持レール７１のうち、隣り合う天井パネル６１の境界部（詳しくは支持レール７１と直交する方向に隣り合う天井パネル６１の境界部）に配置された支持レール７１は、それら隣り合う天井パネル６１を共通に支持している。この場合、その支持レール７１の下板部７１ｃにおける縦板部７１ａを挟んだ両側部分にそれぞれ上記隣り合う天井パネル６１が載置されて支持されている。
【００４６】
天井パネル６１には、その天井パネル６１を支持レール７１に着脱可能に固定するマグネット７２が取り付けられている。マグネット７２は、天井パネル６１の上面において支持レール７１（詳しくは縦板部７１ａ）に隣接して配置されている。このマグネット７２が支持レール７１の縦板部７１ａに吸着されることで、天井パネル６１が支持レール７１に着脱可能に固定されている。なお、天井パネル６１には、マグネット７２として、当該天井パネル６１を支持する各支持レール７１のうち一方の支持レール７１に固定するマグネット７２のみが設けられ、他方の支持レール７１に固定するマグネット７２については設けられていない。
【００４７】
上記のように、天井パネル並設部６２においては、各天井パネル６１が支持レール７１に支持された状態で当該支持レール７１にマグネット７２を用いて着脱可能に固定されている。この場合、各天井パネル６１は、各々設置された設置領域において着脱可能（取り外し可能）な状態で設置されている。これにより、天井パネル並設部６２では、各天井パネル６１を取り外して互いの配置を変更することが可能となっており、つまりは各天井パネル６１の配置換えをすることが可能となっている。
【００４８】
一階居室３１の天井４１において天井パネル並設部６２以外の部分は、天井面材２７を有して形成されている。天井面材２７は、例えば石膏ボードにより形成されている。天井面材２７は、天井小梁２５の下面側にビス等で固定され、取り外し不能とされている。
【００４９】
天井パネル並設部６２の各天井パネル６１には、給気パネルとしての天井パネル６１Ａと、放射パネルとしての天井パネル６１Ｂと、照明パネルとしての天井パネル６１Ｃと、通常パネルとしての天井パネル６１Ｄとが含まれている。以下、これら各天井パネル６１Ａ〜６１Ｄについて説明する。
【００５０】
天井パネル６１Ａは、例えば石膏ボードにより形成されている。天井パネル６１Ａには、給気グリル５４が取り付けられている。給気グリル５４は、天井パネル６１Ａに形成された開口部６４に嵌め込まれた状態で取り付けられている。また、給気グリル５４は、長方形状をなしており、天井パネル６１Ａの中心部に対してずれた位置に取り付けられている。なお、給気グリル５４が給気口に相当する。
【００５１】
天井パネル６１Ｂは、他の天井パネル６１Ａ，６１Ｃ，６１Ｄよりも熱伝導性の高い材料により形成されている。天井パネル６１Ｂは、例えばアルミニウム等の熱伝導性に優れた金属材料により形成されている。
【００５２】
天井パネル６１Ｃは、天井パネル６１Ａと同様、例えば石膏ボードにより形成されている。天井パネル６１Ｃには、その下面側に照明器具６５（図４の二点鎖線参照）を取り付けるための引っ掛けシーリング６６が取り付けられている。引っ掛けシーリング６６には、照明器具６５へ電力を供給するための電気配線６７が接続されている。電気配線６７は、天井パネル６１Ｃに形成された配線孔６８に挿通されている。また、電気配線６７は、その先端にコネクタ６７ａを有しており、そのコネクタ６７ａは他の電気配線６９のコネクタ６９ａに着脱可能に接続されている。これにより、各電気配線６７，６９を介して電力が照明器具６５に供給されるようになっている。なお、引っ掛けシーリング６６が照明用機器に相当する。
【００５３】
天井パネル６１Ｄは、天井パネル６１Ａ，６１Ｃと同様、例えば石膏ボードにより形成されている。天井パネル６１Ｄは、各天井パネル６１Ａ〜６１Ｄのうち、天井パネル６１Ａ〜６１Ｃ以外の天井パネル６１のことである。なお、各天井パネル６１Ａ，６１Ｃ，６１Ｄは必ずしも同じ石膏ボード（ひいては同じ素材）により形成する必要はなく、互いに異なる素材で形成してもよい。
【００５４】
次に、二階居室３５の床部の構成について図４に加え図６を用いながら説明する。図６は、二階居室３５の床（二階床４２）に並設された各床パネル８１を示す平面図である。なお、図６では便宜上、二階居室３５を仕切る仕切壁７６を二点鎖線で示している。
【００５５】
図４及び図６に示すように、二階居室３５の床４２は、その一部が複数の床パネル８１が並設されることにより構成された床パネル並設部８２となっている。この床パネル並設部８２では、それら各床パネル８１により二階居室３５の床面が形成されている。なお、この場合、二階居室３５の床４２が「部屋の床」に相当する。また、各床パネル８１がそれぞれ「パネル」に相当し、床パネル並設部８２が「パネル並設部」に相当する。
【００５６】
各床パネル８１はいずれも平面視にて矩形形状をなしており、詳しくは長方形状をなしている。また、各床パネル８１は、いずれも平面視にて同じ大きさでかつ同じ形状を有しており、その短辺の長さが天井パネル６１の一辺の長さと略同じとなっている。各床パネル８１は、その長手方向をいずれも同じ向きに向けた状態で配置されている。
【００５７】
床パネル並設部８２は、複数の床パネル８１が並設された複数の並設部８２ａ，８２ｂを有している。これら各並設部８２ａ，８２ｂは互いに離間して配置されている。各並設部８２ａ，８２ｂではそれぞれ、複数の床パネル８１が升目状に並べて配置されている。また、各並設部８２ａ，８２ｂの間の離間部分８３には床面材２８が配設されている。
【００５８】
各床パネル８１は、二階部分１５の建物ユニット２０の床小梁２６上に設置されている。各床パネル８１は、隣り合う床小梁２６の上面に架け渡された状態で設置されている。この場合、各床パネル８１は、その下面が階間空間部４３ａに面した状態で設けられている。また、隣り合う床パネル８１の境界部に位置する床小梁２６上にはそれら隣り合う各床パネル８１がそれぞれ載置されている。
【００５９】
隣り合う床パネル８１の間の隙間には隙間埋め材７３が挟み込まれている。隙間埋め材７３は、その隙間埋め材７３を挟んで隣り合う各床パネル８１のうち少なくとも一方に取り付けられている。隙間埋め材７３は柔軟性を有するクッション材からなり、隣り合う床パネル８１の間に圧縮状態で挟まれている。この場合、各床パネル８１は、隙間埋め材７３によって水平方向への変位が規制された状態で設置されている（固定されている）。このような床パネル８１の設置により、各床パネル８１は、各々設置された設置領域において着脱可能（取り外し可能）な状態で設置されている。これにより、床パネル並設部８２では、各床パネル８１を取り外して互いの配置を変更することが可能となっており、つまりは各床パネル８１の配置換えをすることが可能となっている。
【００６０】
二階居室３５の床４２において床パネル並設部８２以外の部分は、床面材２８を有して形成されている。床面材２８は、床仕上面材２８ａとその床仕上面材２８ａの下面に設けられた床下地面材２８ｂとを有する。床仕上面材２８ａは、例えばフローリング材により形成され、床下地面材２８ｂは、例えばパーティクルボードにより形成されている。床面材２８は、床小梁２６上にビス等で固定され、取り外し不能とされている。
【００６１】
各床パネル８１には、給気パネルとしての床パネル８１Ａと、放射パネルとしての床パネル８１Ｂと、通常パネルとしての床パネル８１Ｃとが含まれている。以下、これら各床パネル８１Ａ〜８１Ｃについて説明する。
【００６２】
各床パネル８１Ａ〜８１Ｃはいずれも、二階居室３５の床面を形成する床仕上面材８５と、その床仕上面材８５の下面に設けられた床下地面材８６とを有している。したがって、各床パネル８１Ａ〜８１Ｃはそれら両面材８５，８６からなる二層構造となっている。各床パネル８１Ａ〜８１Ｃの床仕上面材８５は、例えばフローリング材により形成され、床下地面材８６に釘等で固定されている。
【００６３】
床パネル８１Ａは、その床下地面材８６が例えばパーティクルボードにより形成されている。床パネル８１Ａには、給気グリル５４が取り付けられている。給気グリル５４は、床パネル８１Ａに形成された開口部８４に嵌め込まれた状態で取り付けられている。また、給気グリル５４は、長方形状をなしており、床パネル８１Ａの中心部に対してずれた位置に取り付けられている。なお、給気グリル５４が給気口に相当する。
【００６４】
床パネル８１Ｂは、その床下地面材８６が他の床パネル８１Ａ，８１Ｃの床下地面材８６よりも熱伝導性の高い材料により形成されている。床パネル８１Ｂの床下地面材８６（以下、床下地面材８６Ｂともいう）は、例えばアルミニウム等の熱伝導性に優れた金属材料により形成されている。
【００６５】
床パネル８１Ｃは、その床下地面材８６が床パネル８１Ａの床下地面材８６と同様、例えばパーティクルボードにより形成されている。床パネル８１Ｃは、各床パネル８１Ａ〜８１Ｃのうち、床パネル８１Ａ，８１Ｂ以外の床パネル８１のことである。なお、床パネル８１Ｃの床下地面材８６は必ずしも床パネル８１Ａの床下地面材８６と同じパーティクルボード（ひいては同じ素材）により形成する必要はなく、異なる素材で形成してもよい。
【００６６】
次に、一階居室３１及び二階居室３５の空調に関する構成について説明する。
【００６７】
図４に示すように、天井パネル並設部６２の各天井パネル６１Ａ（給気パネルに相当）に設けられた給気グリル５４にはそれぞれ空調ダクト５２が接続されている。この場合、空調装置５１により生成された空調空気がこれらの空調ダクト５２を通じて各天井パネル６１Ａの給気グリル５４に供給され、それら給気グリル５４より一階居室３１に向けて吹き出される。これにより、その吹き出された空調空気により一階居室３１の空調（冷暖房）が行われる。
【００６８】
床パネル並設部８２の各床パネル８１Ａ（給気パネルに相当）に設けられた給気グリル５４にはそれぞれ空調ダクト５２が接続されている。この場合、空調装置５１により生成された空調空気がこれらの空調ダクト５２を通じて各床パネル８１Ａの給気グリル５４に供給され、それら給気グリル５４より二階居室３５に向けて吹き出される。これにより、その吹き出された空調空気により二階居室３５の空調（冷暖房）が行われる。
【００６９】
階間空間部４３ａに導入された各空調ダクト５２のうち、一部の空調ダクト５２は給気グリル５４に接続されていない未接続ダクトとなっている。この空調ダクト５２（以下、５２Ａとする）は、その端部に設けられた給気チャンバ５３を天井パネル６１（例えば天井パネル６１Ｂ）の上に載置した状態で設けられている。この場合、空調装置５１により生成された空調空気がその空調ダクト５２Ａを通じて給気チャンバ５３に供給され、その給気チャンバ５３より階間空間部４３ａに吹き出される。これにより、その吹き出された空調空気により階間空間部４３ａの空調（冷暖房）が行われる。なお、この場合、階間空間部４３ａが部屋裏空間に相当し、空調ダクト５２Ａが空気搬送部材に相当する。
【００７０】
ここで、階間空間部４３ａの周囲の構成について図３を参照しながら説明する。図３に示すように、階間空間部４３ａの周囲では、一階部分１４の建物ユニット２０の天井大梁２２と二階部分１５の建物ユニット２０の床大梁２３とが上下に対向配置されており、それら対向配置された天井大梁２２及び床大梁２３により階間空間部４３ａが囲まれた状態となっている。これら対向配置された天井大梁２２及び床大梁２３の間の隙間４５にはその隙間４５を塞ぐ閉塞部材７８が設けられている。閉塞部材７８は、例えばグラスウールからなり、階間空間部４３ａの周囲全域に亘って配置されている。また、図示は省略するが、階間空間部４３ａの周囲に設けられた各天井大梁２２の梁貫通孔２２ａにも閉塞部材が設けられ、その閉塞部材により梁貫通孔２２ａが塞がれている。これにより、階間空間部４３ａでは、その周囲への空気の流出が抑制されており、そのため階間空間部４３ａがいわゆる閉空間となっている。
【００７１】
図４の説明に戻り、天井パネル並設部６２の各天井パネル６１Ｂ（放射パネルに相当）はその上面が階間空間部４３ａに面して設けられている。この場合、これら各天井パネル６１Ｂには、空調装置５１によって空調（冷暖房）された階間空間部４３ａの熱（冷熱又は温熱）が伝わる。この熱は天井パネル６１Ｂの上面から下面（天井面）に向けて伝導され、その下面より一階居室３１に放射される。そして、その放射された熱により一階居室３１の空調（冷暖房）が行われる。したがって、一階居室３１は、給気グリル５４から吹き出される空調空気と、天井パネル６１Ｂから放射される放射熱との双方により冷暖房が行われるようになっている。
【００７２】
床パネル並設部８２の各床パネル８１Ｂ（放射パネルに相当）は、その床下地面材８６Ｂの下面が階間空間部４３ａに面して設けられている。この場合、各床パネル８１Ｂの床下地面材８６Ｂには、階間空間部４３ａの熱が伝わる。この熱は床下地面材８６Ｂの下面から上面に向けて伝導され、その上面より床仕上面材８５を介して二階居室３５に放射される。そして、その放射された熱により二階居室３５の空調（冷暖房）が行われる。したがって、二階居室３５は、給気グリル５４から吹き出される空調空気と、床パネル８１Ｂから放射される放射熱との双方により冷暖房が行われるようになっている。
【００７３】
続いて、空調ダクト５２と給気グリル５４との接続に関する構成について説明する。
【００７４】
上述したように、各天井パネル６１Ａの給気グリル５４と各床パネル８１Ａの給気グリル５４とにはそれぞれ空調ダクト５２が接続されている。これらの空調ダクト５２は、給気チャンバ５３を介して給気グリル５４に接続されている。この場合、給気チャンバ５３は、空調ダクト５２を給気グリル５４に接続する接続部となっている。
【００７５】
これら各空調ダクト５２の給気チャンバ５３は給気グリル５４に着脱可能に接続されている。給気チャンバ５３は、給気グリル５４にボルト等の締結部材を用いて接続されており、その締結部材を締結状態又は締結解除状態とすることで給気グリル５４に着脱可能とされている。また、各空調ダクト５２の給気チャンバ５３はいずれも同じ構成を有している。そのため、各空調ダクト５２の給気チャンバ５３はそれぞれ、各天井パネル６１Ａの給気グリル５４及び各床パネル８１Ａの給気グリル５４のいずれにも接続が可能となっている。
【００７６】
階間空間部４３ａに導入された各空調ダクト５２のうち、給気グリル５４に接続されていない空調ダクト５２Ａ（未接続ダクト）の給気チャンバ５３も、給気グリル５４に接続されている空調ダクト５２（接続ダクト）の給気チャンバ５３と同じ構成を有している。そのため、空調ダクト５２Ａの給気チャンバ５３についても、各天井パネル６１Ａの給気グリル５４及び各床パネル８１Ａの給気グリル５４のいずれにも接続することが可能となっている。
【００７７】
次に、天井パネル６１の配置換え及び床パネル８１の配置換えを行う際の作業手順について説明する。
【００７８】
天井パネル６１の配置換えを行う際には、まず配置換えを行う天井パネル６１を支持レール７１から取り外す作業を行う。この取り外し作業ではまず、各天井パネル６１Ａ〜６１Ｄのうち、天井パネル６１Ｂ（放射パネル）及び天井パネル６１Ｄ（通常パネル）を支持レール７１から取り外す。その後、その取り外しにより開口された開口部を通じて天井パネル６１Ａ（給気パネル）の給気グリル５４に接続された空調ダクト５２（給気チャンバ５３）を取り外すとともに（図７参照）、天井パネル６１Ｃ（照明パネル）に設けられた電気配線６７のコネクタ６７ａを電気配線６９のコネクタ６９ａから取り外す。そして、その後、各天井パネル６１Ａ，６１Ｃを支持レール７１から取り外す。
【００７９】
次に、取り外した各天井パネル６１を再配置する作業を行う。この作業ではまず、各天井パネル６１Ａ，６１Ｃを支持レール７１上にマグネット７２を用いて固定する。その後、天井パネル６１Ａの給気グリル５４に空調ダクト５２（給気チャンバ５３）を接続し、天井パネル６１Ｃの電気配線６７を電気配線６９にコネクタ６７ａ，６９ａを用いて接続する。その後、残りの天井パネル６１Ｂ，６１Ｄを支持レール７１上にマグネット７２を用いて固定する。これにより、天井パネル６１の配置換えが完了する。
【００８０】
また、上記の配置換えに際し、天井パネル６１の再配置先が同じ支持レール７１上とされている天井パネル６１がある場合には、その天井パネル６１については支持レール７１を用いて再配置の作業を行う。この場合、図７に示すように、天井パネル６１を各支持レール７１に支持させたまま再配置先までスライド移動させる。このスライド移動に際してはまず、天井パネル６１のマグネット７２が支持レール７１から離れる位置まで、つまりマグネット７２による天井パネル６１の固定が解除される位置まで、当該天井パネル６１を各支持レール７１に支持させたままずらす。そして、その固定解除位置で、天井パネル６１を各支持レール７１に沿って再配置先までスライド移動させる。移動後は、天井パネル６１のマグネット７２が支持レール７１に吸着される位置まで、つまり天井パネル６１がマグネット７２により固定される位置まで天井パネル６１をずらす。これにより、当該天井パネル６１の再配置が完了する。
【００８１】
次に、床パネル８１の配置換えを行う際の手順について説明する。床パネル８１の配置換えの際にはまず、配置換えを行う床パネル８１を床小梁２６上から取り外す作業を行う。この取り外しに際しては、まず各床パネル８１のうち、床パネル８１Ｂ（放射パネル）及び床パネル８１Ｃ（通常パネル）を取り外す。この取り外しに際しては、例えば床パネル８１間の隙間に細長の引っ掛け治具を挿入し、その治具で床パネル８１を引っ掛けて取り外すことが考えられる。各床パネル８１Ｂ，８１Ｃを取り外した後、その取り外しにより開口された開口部を通じて床パネル８１Ａ（給気パネル）の給気グリル５４に接続された空調ダクト５２（給気チャンバ５３）を取り外す。そして、床パネル８１Ａを床小梁２６上から取り外す。
【００８２】
続いて、取り外した床パネル８１を再配置する作業を行う。この作業ではまず、床パネル８１Ａを床小梁２６上に設置し、その床パネル８１Ａの給気グリル５４に空調ダクト５２（給気チャンバ５３）を接続する。その後、各床パネル８１Ｂ，８１Ｃを床小梁２６上に設置する。これにより、床パネル８１の配置換えが完了する。
【００８３】
次に、一階居室３１及び二階居室３５で家具の配置換えが行われた場合に、それに伴って行われる天井パネル６１及び床パネル８１の配置換えの一例について説明する。まず、一階居室３１で家具の配置換えが行われた場合に、それに伴い行われる天井パネル６１の配置換えについて図８に基づき説明する。図８は一階居室３１を示す平面図であり、（ａ）が家具の配置換えが行われる前の状態、（ｂ）が家具の配置換えが行われた後の状態を示している。なお、図８（ａ）及び（ｂ）では便宜上、各天井パネル６１及びそれに付随する部材をそれぞれ一点鎖線で示している。また、以下の例では、子供が生まれて子育てを行うことに伴い、家具の配置換えが行われる場合を想定している。
【００８４】
図８（ａ）に示すように、一階居室３１は、リビングとダイニングとキッチンとが連続したＬＤＫとされている。一階居室３１は、その３面が仕切壁５６（５６ａ〜５６ｃ）により仕切られている。家具の配置換えが行われる前においては、一階居室３１において、そのリビングに仕切壁５６ｂに沿ってソファ９１が設置され、そのダイニングにダイニングテーブル９２が設置されている。
【００８５】
これに対して、家具の配置換えが行われた後においては、図８（ｂ）に示すように、一階居室３１において、そのリビングに仕切壁５６ａに沿ってソファ９３が設置され、そのダイニングにダイニングテーブル９４が設置されている。ダイニングテーブル９４は、家具の配置換え前（ダイニングテーブル９２）と比べて仕切壁５６ｂ寄りに若干位置が変更されている。また、仕切壁５６ｃの壁際にはベビーベッド９５が設置されている。
【００８６】
このような家具の配置換えに伴い、一階居室３１では各天井パネル６１Ａ〜６１Ｄの配置換えが行われている。例えば、家具の配置換え前においてはソファ９３の真上となる位置と、ベビーベッド９５の真上となる位置にそれぞれ天井パネル６１Ａ（給気パネル）の給気グリル５４が配置されていた。その場合、給気グリル５４から吹き出す空調空気がソファ９３に座る者、及びベビーベッド９５上の子供に直接当たるおそれがある。そのため、そのような事態を回避するために、家具の配置換え後においては、天井パネル６１Ａがソファ９３の真上位置及びベビーベッド９５の真上位置とは異なる位置へ移動されている。
【００８７】
また、家具の配置換えに伴い、ダイニングテーブル９４の位置が仕切壁５６ｂ側にずれたため、それに応じて天井パネル６１Ｃ（照明パネル）の位置が変更されている。つまり、この場合、ダイニングテーブル９４の位置変更に伴い、天井パネル６１Ｃの引っ掛けシーリング６６に取り付けられる照明器具６５の位置が変更されている。
【００８８】
続いて、二階居室３５で家具の配置換えが行われた場合に、それに伴い行われる床パネル８１の配置換えについて図９に基づき説明する。図９は二階居室３５を示す平面図であり、（ａ）が家具の配置換えが行われる前の状態、（ｂ）が家具の配置換えが行われた後の状態を示している。なお、以下の例では、子供の成長に伴い、二階居室３５にて家具の配置換えが行われる場合を想定している。
【００８９】
図９（ａ）に示すように、二階居室３５は、子供部屋として用いられている。二階居室３５は、例えば二人の子供共有の子供部屋となっている。家具の配置替えが行われる前においては、二階居室３５の中央部にテーブル９６が設置され、隅部にベッド９７が設置されている。
【００９０】
これに対して、家具の配置換えが行われた後においては、図９（ｂ）に示すように、二階居室３５において床パネル並設部８２の各並設部８２ａ，８２ｂの間の離間部分８３にパーティション９８が設置されている。これにより、家具の配置換え後においては、このパーティション９８により二階居室３５が２つの領域３５ａ，３５ｂに区画されている。そして、それら区画された各領域３５ａ，３５ｂがそれぞれ各子供の子供部屋として用いられるようになっている。また、二階居室３５の各領域３５ａ，３５ｂにはそれぞれベッド９９ａ，９９ｂが設置されている。
【００９１】
このような家具の配置換えに伴い、二階居室３５では各床パネル８１Ａ〜８１Ｃの配置換えが行われている。例えば、家具の配置換え前においてはベッド９９ａの真下となる位置に床パネル８１Ａ（給気パネル）の給気グリル５４が配置されていた。その場合、ベッド９９ａが設置されることで給気グリル５４が塞がれてしまうおそれがある。そのため、そのような事態を回避するために、家具の配置換え後においては、床パネル８１Ａがベッド９９ａの真下位置とは異なる位置に移動されている。
【００９２】
また、家具の配置換え前においては、各並設部８２ａ，８２ｂのうち並設部８２ｂに床パネル８１Ｂ（放射パネル）が集約されていたが、家具の配置換え後においては各並設部８２ａ，８２ｂにそれぞれ床パネル８１Ｂが配置されている。これにより、二階居室３５の各領域３５ａ，３５ｂをそれぞれ床パネル８１Ｂからの放射熱により空調することが可能となっている。
【００９３】
また、領域３５ｂ（並設部８２ｂ）においては、パーティション９８付近に椅子１０１ａやテーブル１０１ｂが設置されている領域があり、この領域に合わせて床パネル８１Ｂが配置されている。この場合、当該領域に合わせて床パネル８１Ａ（給気パネル）が配置されると、給気グリル５４を椅子１０１ａ等で塞いでしまったり給気グリル５４から吹き出す空調空気が直接当たって不快感を感じてしまう等の不都合が生じるおそれがある。その点、当該領域に合わせて床パネル８１Ｂが配置されていることで、かかる不都合を回避しながら当該領域を局所的に空調することが可能となっている。
【００９４】
以上、詳述した本実施形態の構成によれば、以下の優れた効果が得られる。
【００９５】
一階居室３１の天井パネル並設部６２では、各天井パネル６１が互いに配置換え可能に設けられており、また、各天井パネル６１には給気グリル５４が設けられた給気用の天井パネル６１Ａが含まれている。この場合、各天井パネル６１の配置換えを行うことで、給気グリル５４の位置を変更することができるため、家具の配置換えや間取りの変更が行われる場合には、それに応じて給気グリル５４の位置を変更することができる。これにより、一階居室３１において家具の配置換えや間取りの変更が行われる場合に、その配置換え等に対して好適に対応することが可能となる。
【００９６】
二階居室３５の床パネル並設部８２では、各床パネル８１が互いに配置換え可能に設けられており、また、各床パネル８１には給気グリル５４が設けられた給気用の床パネル８１Ａが含まれている。この場合、各床パネル８１の配置換えを行うことで、給気グリル５４の位置を変更することができるため、家具の配置換えや間取りの変更が行われる場合には、それに応じて給気グリル５４の位置を変更することができる。これにより、二階居室３５において家具の配置換えや間取りの変更が行われる場合に、その配置換え等に対して好適に対応することが可能となる。
【００９７】
天井パネル並設部６２の各天井パネル６１には給気用の天井パネル６１Ａが複数含まれており、それら各天井パネル６１Ａの給気グリル５４にはそれぞれ空調装置５１により生成された空調空気が空調ダクト５２を通じて搬送されるようになっている。また、これと同様に、床パネル並設部８２の各床パネル８１には給気用の床パネル８１Ａが複数含まれており、それら各床パネル８１Ａの給気グリル５４にはそれぞれ空調装置５１により生成された空調空気が空調ダクト５２を通じて搬送されるようになっている。
【００９８】
このような構成にあって、上記各空調ダクト５２には、空調ダクト５２を給気グリル５４に着脱可能に接続する給気チャンバ５３が設けられている。この場合、天井パネル６１Ａの配置換えを行う際や、床パネル８１Ａの配置換えを行う際には、空調ダクト５２（給気チャンバ５３）を給気グリル５４から取り外して配置換えを行うことができる。これにより、空調空気をダクト搬送する構成にあって、天井パネル６１Ａの配置換え及び床パネル８１Ａの配置換えを容易に行うことが可能となる。
【００９９】
また、上記各空調ダクト５２の給気チャンバ５３はそれぞれ、各天井パネル６１Ａの給気グリル５４及び各床パネル８１Ａの給気グリル５４のいずれに対しても接続が可能とされている。この場合、各天井パネル６１Ａ及び各床パネル８１Ａの配置換えを行った後、それら各パネル６１Ａ，８１Ａの給気グリル５４に空調ダクト５２を接続するに際し、給気グリル５４の近くにある空調ダクト５２を当該給気グリル５４に接続するといったことが可能となる。これにより、各パネル６１Ａ，８１Ａの配置換え後に行われる、各給気グリル５４への空調ダクト５２の（再）接続作業をし易くすることができる。特に、上記の実施形態では、各空調ダクト５２をそれぞれ一階天井（天井パネル６１Ａ）の給気グリル５４及び二階床（床パネル８１Ａ）の給気グリル５４それぞれに接続可能となっているため、給気グリル５４への空調ダクト５２の接続作業を大いにし易くすることが可能となる。
【０１００】
空調装置５１により生成された空調空気の一部は階間空間部４３ａに搬送されるため、その空調空気により階間空間部４３ａの空調（冷暖房）が行われる。また、天井パネル並設部６２の各天井パネル６１には、熱放射用の天井パネル６１Ｂが含まれており、床パネル並設部８２の各床パネル８１には、熱放射用の床パネル８１Ｂが含まれている。この場合、階間空間部４３ａの熱が天井パネル６１Ｂを介して一階居室３１へ放射されるとともに、床パネル８１Ｂを介して二階居室３５へ放射される。これにより、一階居室３１及び二階居室３５を給気グリル５４から吹き出す空調空気に加え、天井パネル６１Ｂ及び床パネル８１Ｂから放射される放射熱により空調することが可能となる。このため、一階居室３１及び二階居室３５を空調空気の給気（対流）と熱放射とを併用して効率よく空調することが可能となる。
【０１０１】
また、天井パネル６１Ｂを含む各天井パネル６１が配置換え可能とされ、床パネル８１Ｂを含む各床パネル８１が配置換え可能とされている。この場合、例えば、給気グリル５４から吹き出す空調空気が直接当たることは避けたい一方で、局所的に空調を行い領域（例えば二階居室３５の領域３５ｂにおいて椅子１０１ａやテーブル１０１ｂが設置されている領域）がある場合に、その領域に合わせて床パネル８１Ｂを配置するといったことが可能となる。これにより、家具の配置換えや間取りの変更に対してより好適に対応することが可能となる。
【０１０２】
階間空間部４３ａに導入された各空調ダクト５２にそれぞれ空調ダクト５２を給気グリル５４に着脱可能に接続する給気チャンバ５３が設けられている。そして、これら各空調ダクト５２のうち一部の空調ダクト５２については給気チャンバ５３により（各パネル６１Ａ，８１Ａの）給気グリル５４に接続されることで空調空気を給気グリル５４に搬送するために用いられ、他の空調ダクト５２については給気チャンバ５３により給気グリル５４に接続されず空調空気を階間空間部４３ａに搬送する空気搬送部材として用いられるようになっている。
【０１０３】
このような構成では、各空調ダクト５２をそれぞれ空調空気を給気グリル５４に搬送するために用いることができるとともに、空調空気を階間空間部４３ａに搬送するために用いることができる。したがって、天井パネル６１又は床パネル８１の配置換えを行った後、（各パネル６１Ａ，８１Ａの）給気グリル５４へ空調ダクト５２を（再）接続する際に、給気グリル５４の近くにある空調ダクト５２を当該給気グリル５４に接続し、給気グリル５４から離れた位置にある空調ダクト５２を給気グリル５４に接続せず空気搬送部材として用いるといったことが可能となる。これにより、各パネル６１，８１の配置換え後に行われる、給気グリル５４への空調ダクト５２の（再）接続作業をより一層行い易くすることができる。
【０１０４】
天井パネル並設部６２の各天井パネル６１には、照明器具６５を取り付けるための引っ掛けシーリング６６が設けられた照明用の天井パネル６１Ｃが含まれている。この場合、天井パネル６１Ｃを配置換えすることで照明器具６５の配置位置を変更することが可能となる。これにより、家具の配置換えや間取りの変更に応じて、照明器具６５の配置位置を変えることができるため、一階居室３１の照明の点からも家具の配置換え等に対して好適に対応することが可能となる。
【０１０５】
一階居室３１の天井部に設けられた一対の支持レール７１に天井パネル６１がスライド移動可能に支持されている。この場合、天井パネル６１の配置換えを行う際には、支持レール７１上で天井パネル６１をスライド移動させながら配置換えを行うことができるため、天井パネル６１の配置換えをし易くすることができる。
【０１０６】
また、各天井パネル６１がマグネット７２により支持レール７１に着脱可能に固定されているため、各天井パネル６１の着脱を容易に行うことができる。これにより、各天井パネル６１の配置換え作業をよりし易くすることができる。
【０１０７】
天井パネル並設部６２の各天井パネル６１はいずれも平面視にて同じ形状でかつ同じ大きさとされている。これにより、各天井パネル６１を他のいずれの天井パネル６１とも置き換えることができるため、各天井パネル６１の配置態様についてバリエーションを増やすことができるとともに、各天井パネル６１の配置換えを容易に行うことが可能となる。これと同様に、床パネル並設部８２の各床パネル８１も、平面視にて同じ形状でかつ同じ大きさとされているため、床パネル８１についても上記同様の効果を得ることができる。
【０１０８】
給気用の天井パネル６１Ａにおいて給気グリル５４は当該パネル６１Ａの中央部に対してずれた位置に配置されている。この場合、天井パネル６１Ａの配置向きを変更することで、給気グリル５４の位置や向きを（若干）変更することが可能となる。これにより、家具の配置換え等に応じてより細かな対応をすることが可能となる。また、給気用の床パネル８１Ａについても上記同様の効果を得ることができる。
【０１０９】
本発明は上記実施形態に限らず、例えば次のように実施されてもよい。
【０１１０】
・上記実施形態では、天井パネル並設部６２の各天井パネル６１に、給気用の天井パネル６１Ａに加え、熱放射用の天井パネル６１Ｂ及び照明用の天井パネル６１Ｃを含めたが、これら各天井パネル６１Ｂ，６１Ｃのうち少なくとも一方を含めないようにしてもよい。また、上記実施形態では、床パネル並設部８２の各床パネル８１に、給気用の床パネル８１Ａに加え、熱放射用の天井パネル６１Ｂを含めたが、この天井パネル６１Ｂについては含めないようにしてもよい。それらの場合においても、家具の配置換え等に応じて給気用のパネル６１Ａ，８１Ａの配置換えを行うことで、給気グリル５４の位置を変更することができるため、家具の配置換え等に対し好適に対応することが可能となる。
【０１１１】
・例えば、天井パネル並設部６２の各天井パネル６１に、設備機器が取り付けられた設備機器用の天井パネル６１を含めてもよい。この場合、設備機器としては、スピーカ等の音響機器や、映像機器等が考えられる。かかる構成では、当該天井パネル６１を配置換えすることで、設備機器の配置位置を変更することができる。そのため、屋内設備の点からも、家具の配置換え等に好適に対応することが可能となる。
【０１１２】
・上記実施形態では、空調装置５１により生成された空調空気を空調ダクト５２を用いて各パネル６１Ａ，８１Ａの給気グリル５４に搬送するようしたが、これを変更してもよい。例えば、各給気グリル５４に接続する空調ダクト５２を設けず、階間空間部４３ａに空調空気を搬送する空調ダクト５２（５２Ａ）のみ設けるようにすることが考えられる。この場合、その空調ダクト５２を通じて空調装置５１より空調空気が階間空間部４３ａに供給され、その空調空気が階間空間部４３ａより各給気グリル５４を通じて一階居室３１や二階居室３５に吹き出されることになる。このため、この場合にも、給気グリル５４から吹き出される空調空気により一階居室３１、二階居室３５の空調を行うことが可能となる。
【０１１３】
・上記実施形態では、一階居室３１の天井に天井パネル並設部６２を設けたが、一階居室３１の床に床パネル並設部を設けてもよい。この場合、その床パネル並設部を構成する各床パネルを配置換え可能とするとともに、それら各床パネルに給気グリル５４を設けた給気用の床パネルを含めるようにすればよい。また、上記実施形態では、二階居室３５の床に床パネル並設部８２を設けたが、二階居室３５の天井に天井パネル並設部を設けるようにしてもよい。
【０１１４】
・上記実施形態では、天井パネル６１を支持レール７１に支持させた状態でマグネット７２により支持レール７１に着脱可能に固定したが、天井パネル６１を着脱可能とするための構成は必ずしもこの構成に限らない。例えば、天井パネル６１を隣り合う各天井小梁２５の下面に跨がるように設け、それら各天井小梁２５に手締めのボルト等を用いて着脱可能に固定するようにしてもよい。その場合にも、各天井パネル６１を配置換え可能に設置することができる。
【０１１５】
・上記実施形態では、一階居室３１の天井４１の一部を天井パネル並設部６２としたが、一階居室３１の天井４１の全部を天井パネル並設部６２としてもよい。また、これと同様に、二階居室３５の床４２の全部を床パネル並設部８２としてもよい。
【０１１６】
・上記実施形態では、ユニット式建物への適用例を説明したが、鉄骨軸組工法により構築される建物等、他の構造の建物にも本発明を適用できる。
【符号の説明】
【０１１７】
１０…建物、２０…建物ユニット、３１…一階居室、３５…二階居室、４１…一階天井、４２…二階床、４３ａ…部屋裏空間としての階間空間部、５０…空調設備、５１…空調装置、５２…空調ダクト、５３…給気チャンバ、５４…給気グリル、６１…パネルとしての天井パネル、６１Ａ…給気パネルとしての天井パネル、６１Ｂ…放射パネルとしての天井パネル、６１Ｃ…照明パネルとしての天井パネル、６２…パネル並設部としての床パネル並設部、６５…照明器具、６６…照明取付部としての引っ掛けシーリング、７１…支持レール、８１…パネルとしての床パネル、８１Ａ…給気パネルとしての床パネル、８１Ｂ…放射パネルとしての床パネル、８２…パネル並設部としての天井パネル並設部。
【図１】
2020118428.tif 000003
【図２】
2020118428.tif 000004
【図３】
2020118428.tif 000005
【図４】
2020118428.tif 000006
【図５】
2020118428.tif 000007
【図６】
2020118428.tif 000008
【図７】
2020118428.tif 000009
【図８】
2020118428.tif 000010
【図９】
2020118428.tif 000011